(57)【特許請求の範囲】
【請求項１】
相対向して形成された一対の壁材内に配置され、一方の壁材の表側に配線器具を取付可能とする配線器具取付具であって、
他方の壁材に固定される固定体と、前記配線器具を取付可能な少なくとも一対の相対向する配線器具取付部を備えた取付部形成体と、固定体と取付部形成体とを連結する連結部とよりなり、
前記配線器具取付部に形成された雌ねじ部に対する一方の壁材の表側からの取付ビスの螺進に伴い、固定体が他方の壁材に固定された状態の取付部形成体及び配線器具取付部が他方の壁材側に配置された位置から一方の壁材側へ移動するとともに、前記取付部形成体は一方の壁材の裏面に当接する当接部を備え、取付部形成体が前記移動位置にある状態において、前記当接部が一方の壁材の裏面に当接して当該当接部と配線器具を保持した配線器具保持枠とにより一方の壁材を挟持可能に形成した配線器具取付具。
【請求項２】
前記連結部は前記取付部形成体の移動に伴い伸張することで、前記取付部形成体の移動を許容する請求項１に記載の配線器具取付具。
【請求項３】
前記連結部は蛇腹状に形成されている請求項２に記載の配線器具取付具。
【請求項４】
前記固定体、取付部形成体及び連結部は合成樹脂により一体形成されている請求項１〜請求項３のいずれか一項に記載の配線器具取付具。
【請求項５】
前記取付部形成体は枠状をなし、前記取付部形成体は他方の壁材側に配置された位置から一方の壁材側へ移動した位置にある状態において、前記連結部が可撓性を有することにより、前記取付部形成体の前面開口が前記一方の壁材に設けられた貫通孔に対応するように前記一方の壁材面に沿って位置調整される請求項２〜請求項４のいずれか一項に記載の配線器具取付具。
【請求項６】
前記枠状をなす取付部形成体の相対向する両側壁に、固定体側に開口するケーブル保持部を備え、前記連結部の伸張により取付部形成体が他方の壁材側に配置された位置から一方の壁材側へ移動した状態において、取付部形成体と他方の壁材又は固定体との間に前記一対の壁材内に配設されたケーブルを通過可能とする隙間を形成して前記ケーブル保持部内にケーブルを配設するとともに、前記連結部の収縮により取付部形成体の前記一方の壁材側へ移動した位置から他方の壁材側へ移動することで前記隙間を閉鎖して、ケーブル保持部内にケーブルを保持する請求項２〜請求項５のいずれか一項に記載の配線器具取付具。
【請求項７】
前記連結部は、前記取付部形成体に形成されている取付部形成体配線器具取付部を有する摺動体と、前記固定体に形成されている収容部とよりなり、前記摺動体は収容部に対して摺動可能に組付けられることにより連結され、前記取付部形成体の摺動体が固定体の収容部に対する摺動により他方の壁材側に配置された位置から一方の壁材側へ移動する請求項１に記載の配線器具取付具。
【請求項８】
前記取付部形成体は移動位置にある状態において、同移動位置における取付部形成体の一方の壁材面に沿った移動を規制すべく同一方の壁材に食い込む突刺体が前記当接部に形成されている請求項１〜請求項７のいずれか一項に記載の配線器具取付具。
【請求項９】
相対向して形成された一対の壁材内に配置され、一方の壁材の表側に配線器具を取付可能とする配線器具取付具であって、
他方の壁材に固定される基端側に折取溝が形成された固定体と、前記配線器具を取付可能な少なくとも一対の相対向する配線器具取付部を備え、前記固定体の基端側と連結される取付部形成体とよりなり、
前記配線器具取付部に形成された雌ねじ部に対する一方の壁材の表側からの取付ビスの螺進に伴い、取付部形成体及び配線器具取付部が他方の壁材側に配置された位置から一方の壁材側へ移動する際に、他方の壁材に固定された状態の固定体は、前記折取溝で折れて他方の壁材に残り、取付部形成体及び配線器具取付部は一方の壁材側へ移動するとともに、前記取付部形成体は一方の壁材の裏面に当接する当接部を備え、取付部形成体が前記移動位置にある状態において、前記当接部が一方の壁材の裏面に当接して当該当接部と配線器具を保持した配線器具保持枠とにより一方の壁材を挟持可能に形成した配線器具取付具。
【請求項１０】
相対向して形成された一対の壁材の一方の壁材に配線器具を取付ける取付方法であって、
固定体と、前記配線器具を取付可能な少なくとも一対の相対向する配線器具取付部を備えた取付部形成体と、固定体と取付部形成体とを連結する連結部とからなる配線器具取付具を、前記固定体で他方の壁材に固定し、
前記取付部形成体の前面側に前記一方の壁材を配置し、
当該一方の壁材に設けられた貫通孔の表側から前記配線器具取付部に形成された雌ねじ部に前記配線器具を取り付ける取付ビスを螺号し、螺進させることによって前記取付部形成体を前記一方の壁材側へ移動させ、前記取付部形成体に備えられた当接部を前記一方の壁材の裏面に当接させることによって、当該当接部と前記配線器具を保持した配線器具保持枠とで前記一方の壁材を挟持して前記配線器具を前記一方の壁材の表側に取付固定する配線器具の取付方法。
【発明の詳細な説明】
【０００１】
【発明の属する技術分野】
この発明は、例えば、建築物の壁に配線器具を取付可能な配線器具取付具及び配線器具の取付方法に関するものである。
【０００２】
【従来の技術】
従来より、建築物の内装における壁は、室内側に位置する石膏ボード等の一方の壁材としての壁板と、その壁板の裏側の他方の壁材としてのコンクリート壁とより形成され、壁板とコンクリート壁との間には空間が形成されている。その壁にコンセント等の配線器具を設置するために前記空間には配線器具取付具として配線用ボックスが設置される。そして、その配線用ボックス内に配線器具が収容された状態で配線器具が壁に取付られる。この配線用ボックスは開口を有する有底四角箱状をなすボックス本体を備え、そのボックス本体の一側壁には、その側壁を貫通してビス孔が２箇所に形成され、底壁にもビス孔が複数箇所に形成されている。
【０００３】
また、ボックス本体の上下両側壁の内側面には、それぞれボックス本体の開口側に臨む配線器具取付部が相対向して形成され、各配線器具取付部内には内周に雌ねじが螺刻された雌ねじ部が形成されている。各配線器具取付部の前面にはそれぞれ取付孔が形成され、各取付孔から前記雌ねじ部に取付ビスを挿入して螺合することができるようになっている。配線器具を保持した状態で配線用ボックスに取り付けられる配線器具保持枠は、四角枠状をなし、その上下両端部には前記取付孔に対応する孔が形成されている。
【０００４】
そして、この配線用ボックスの使用の際は、まず、建築物の構築時に、コンクリート壁が設置された状態において、底壁のビス孔からコンクリート壁にビスを固定して、配線用ボックスをコンクリート壁に取付ける。次に、その配線用ボックスの近傍に配線されたケーブルを配線用ボックス内に配線する。次いで、コンクリート壁の開口側に壁板を設置して配線用ボックスを壁板の裏側に配置する。このとき、壁板の表側から配線用ボックスの内部に配線器具を収容するために配線用ボックスは、その開口側前面が壁板の裏面に接するように設置される。
【０００５】
上記配線用ボックスを使用して壁に配線器具を取付ける際は、まず、壁板に貫通孔を開け、配線用ボックスの開口を壁表側に臨ませる。次いで、前記貫通孔から配線用ボックス内のケーブルを壁表側に引き出し、そのケーブルに配線器具を接続する。最後に、その配線器具を配線器具保持枠に保持させて、配線器具保持枠の孔から取付ビスを前記雌ねじ部に螺合して、配線器具保持枠を介して配線器具を配線用ボックスに取付ける。その結果、配線器具が配線用ボックス内に収容されるとともに、壁に取付けられる。
【０００６】
ところが、コンクリート壁と壁板との間の幅は、形成される壁により種々の大きさに設定されている。そのため、コンクリート壁に配線用ボックスを固定した場合、配線用ボックスの開口側前面が壁板の裏面に接するべく配置するためにコンクリート壁と壁板との間の幅に対応する厚さを有する配線用ボックスを複数種類用意しなければならず非常に煩わしかった。
【０００７】
また、配線器具保持枠の孔から取付ビスを螺進すると、その螺進に伴い配線用ボックスがコンクリート壁側から壁板側へ引き寄せられて、コンクリート壁に配線用ボックスを取り付けているビスに対して負荷がかかる。そのため、ビスがコンクリート壁から抜けたりして配線用ボックスのコンクリート壁に対する固定が不安定になり、その配線用ボックスに取り付けられた配線器具の取付状態が不安定になってしまうというおそれもあった。
【０００８】
従って、上記問題を解決するために、現状では配線用ボックスは、壁裏に配設された柱に対してビス孔からビスを固定して取り付けられている。
【０００９】
【発明が解決しようとする課題】
ところが、壁板の裏側において、柱が設置される場所は予め設定されているためその設置位置を変更することは不可能である。そのため、壁板における配線器具の設置予定位置の近傍位置に柱が設置されていない場合は、その設置予定位置の近傍に、桟や当て木等を配設し、その桟や当て木に配線用ボックスを取り付けていた。従って、従来方法による配線用ボックスの設置作業は、桟や当て木を別途用意する必要が生じ、配線用ボックスを使用した配線器具の設置作業が非常に煩雑であるという問題があった。
【００１０】
また、桟や当て木と壁板との距離が長いと壁板の表側から配線用ボックスの配線器具取付部の取付孔に取付ビスを挿通する作業を行うのが非常に面倒であるとという問題もあった。加えて、取付ビスの長さも長くなり、取付ビスの雌ねじ部に対する螺合作業が非常に煩わしいという問題もあった。
【００１１】
この発明は、このような従来技術に存在する問題点に着目してなされたものである。その目的とするところは、建築物の一方の壁材に対する配線器具の設置作業の簡易化を図ることができるとともに、配線器具を安定した状態で一方の壁材に固定することができる配線器具取付具及び配線器具の取付方法を提供することにある。
【００１２】
【課題を解決するための手段】
上記の目的を達成するために、請求項１に記載の発明の配線器具取付具は、相対向して形成された一対の壁材内に配置され、一方の壁材の表側に配線器具を取付可能とする配線器具取付具であって、他方の壁材に固定される固定体と、前記配線器具を取付可能な少なくとも一対の相対向する配線器具取付部を備えた取付部形成体と、固定体と取付部形成体とを連結する連結部とよりなり、前記配線器具取付部に形成された雌ねじ部に対する一方の壁材の表側からの取付ビスの螺進に伴い、固定体が他方の壁材に固定された状態の取付部形成体及び配線器具取付部が他方の壁材側に配置された位置から一方の壁材側へ移動するとともに、前記取付部形成体は一方の壁材の裏面に当接する当接部を備え、取付部形成体が前記移動位置にある状態において、前記当接部が一方の壁材の裏面に当接して当該当接部と配線器具を保持した配線器具保持枠とにより一方の壁材を挟持可能に形成したものである。
【００１３】
請求項２に記載の発明の配線器具取付具は、請求項１に記載の発明において、前記連結部は前記取付部形成体の移動に伴い伸張することで、前記取付部形成体の移動を許容するものである。
【００１４】
請求項３に記載の発明の配線器具取付具は、請求項２に記載の発明において、前記連結部は蛇腹状に形成されているものである。
【００１５】
請求項４に記載の発明の配線器具取付具は、請求項１〜請求項３のいずれか一項に記載の発明において、前記固定体、取付部形成体及び連結部は合成樹脂により一体形成されているものである。
【００１６】
請求項５に記載の発明の配線器具取付具は、請求項２〜請求項４のいずれか一項に記載の発明において、前記取付部形成体は枠状をなし、前記取付部形成体は他方の壁材側に配置された位置から一方の壁材側へ移動した位置にある状態において、前記連結部が可撓性を有することにより、前記取付部形成体の前面開口が前記一方の壁材に設けられた貫通孔に対応するように前記一方の壁材面に沿って位置調整されるものである。
【００１７】
請求項６に記載の発明の配線器具取付具は、請求項２〜請求項６のいずれか一項に記載の発明において、前記枠状をなす取付部形成体の相対向する両側壁に、固定体側に開口するケーブル保持部を備え、前記連結部の伸張により取付部形成体が他方の壁材側に配置された位置から一方の壁材側へ移動した状態において、取付部形成体と他方の壁材又は固定体との間に前記一対の壁材内に配設されたケーブルを通過可能とする隙間を形成して前記ケーブル保持部内にケーブルを配設するとともに、前記連結部の収縮により取付部形成体の前記一方の壁材側へ移動した位置から他方の壁材側へ移動することで前記隙間を閉鎖して、ケーブル保持部内にケーブルを保持するものである。
【００１８】
請求項７に記載の発明の配線器具取付具は、請求項１に記載の発明において、前記連結部は、前記取付部形成体に形成されている取付部形成体配線器具取付部を有する摺動体と、前記固定体に形成されている収容部とよりなり、前記摺動体は収容部に対して摺動可能に組付けられることにより連結され、前記取付部形成体の摺動体が固定体の収容部に対する摺動により他方の壁材側に配置された位置から一方の壁材側へ移動するものである。
【００１９】
請求項８に記載の発明の配線器具取付具は、請求項１〜請求項７のいずれか一項に記載の発明において、前記取付部形成体は移動位置にある状態において、同移動位置における取付部形成体の一方の壁材面に沿った移動を規制すべく同一方の壁材に食い込む突刺体が形成されているものである。
【００２０】
請求項９に記載の発明の配線器具取付具は、相対向して形成された一対の壁材内に配置され、一方の壁材の表側に配線器具を取付可能とする配線器具取付具であって、他方の壁材に固定される基端側に折取溝が形成された固定体と、前記配線器具を取付可能な少なくとも一対の相対向する配線器具取付部を備え、前記固定体の基端側と連結される取付部形成体とよりなり、前記配線器具取付部に形成された雌ねじ部に対する一方の壁材の表側からの取付ビスの螺進に伴い、取付部形成体及び配線器具取付部が他方の壁材側に配置された位置から一方の壁材側へ移動する際に、他方の壁材に固定された状態の固定体は、前記折取溝で折れて他方の壁材に残り、取付部形成体及び配線器具取付部は一方の壁材側へ移動するとともに、前記取付部形成体は一方の壁材の裏面に当接する当接部を備え、取付部形成体が前記移動位置にある状態において、前記当接部が一方の壁材の裏面に当接して当該当接部と配線器具を保持した配線器具保持枠とにより一方の壁材を挟持可能に形成したものである。
【００２２】
請求項１０に記載の発明の配線器具の取付方法は、相対向して形成された一対の壁材の一方の壁材に配線器具を取付ける取付方法であって、固定体と、前記配線器具を取付可能な少なくとも一対の相対向する配線器具取付部を備えた取付部形成体と、固定体と取付部形成体とを連結する連結部とからなる配線器具取付具を、前記固定体で他方の壁材に固定し、前記取付部形成体の前面側に前記一方の壁材を配置し、当該一方の壁材に設けられた貫通孔の表側から前記配線器具取付部に形成された雌ねじ部に前記配線器具を取り付ける取付ビスを螺号し、螺進させることによって前記取付部形成体を前記一方の壁材側へ移動させ、前記取付部形成体に備えられた当接部を前記一方の壁材の裏面に当接させることによって、当該当接部と前記配線器具を保持した配線器具保持枠とで前記一方の壁材を挟持して前記配線器具を前記一方の壁材の表側に取付固定する。
【００２８】
【発明の実施の形態】
以下、この発明を配線器具取付具に具体化した一実施形態を、図面に基づいて詳細に説明する。
【００２９】
（第１実施形態）
まず、図２に示すように、配線器具取付具１１が設置される壁１０は、一方の壁材としての石膏ボード１０ａと、その後方に配置される他方の壁材としてのコンクリート壁１０ｂとより構成されている。コンクリート壁１０ｂと石膏ボード１０ａとは相対向して設けられるとともに、それらの間に配線器具取付具１１を配置可能な空間が形成されている。
【００３０】
次いで、前記配線器具取付具１１について説明する。配線器具取付具１１はコンクリート壁１０ｂに固定される固定体としての底板１３と、同底板１３に連結されるとともに、配線器具２９を取付可能な配線器具取付部２８を有する取付部形成体としての枠体１４とよりなるものである。そして、その底板１３のコンクリート壁１０ｂへの固定によりコンクリート壁１０ｂ側に配置され、前記枠体１４を、コンクリート壁１０ｂ前面に配置した位置、即ち固定位置から石膏ボード１０ａ側に位置する移動位置との間を移動可能に形成したものである。前記底板１３と枠体１４とは連結部１５により連結されている。
【００３１】
まず、前記底板１３について説明すると、図３に示すように、底板１３は略平面長方形状をなし、その両長辺（図３では左右両側辺）は外方へ平面円弧状に突出している。底板１３の下部（図３では下側）には、平面鍵穴状をなす収容孔１６が形成されている。また、底板１３の両長辺側には、底板１３の長さ方向へ沿ってそれぞれ４箇所に固定孔１７が形成され、図２に示すように、各固定孔１７からコンクリート壁１０ｂに固定ビス１８を固定することができるようになっている。底板１３をコンクリート壁１０ｂに固定して、連結部１５を介して枠体１４、即ち配線器具取付具１１をそのコンクリート壁１０ｂに固定することができ、枠体１４は底板１３に対して固定位置にある状態である。
【００３２】
次に、前記枠体１４について説明すると、図３に示すように、枠体１４は四角枠状をなし、図１に示すように、前記底板１３の周縁において、その底板１３の各辺に対応する側壁２０〜２３が前方（図１では右方）に向けて底板１３に対し略垂直に立設されている。図３に示すように、前記各側壁２０〜２３のうち、上側壁２０（図３では上側）と下側壁２１（図３では下側）はそれぞれ前記底板１３の上下両短辺に対応し、左側壁２２（図３では左側）と右側壁２３（図３では右側）とはそれぞれ底板１３の左右両長辺に対応して設けられている。
【００３３】
そして、図１に示すように、各側壁２０〜２３の前端部及び後端部によって枠体１４には開口が形成され、枠体１４の後端部側の開口は、底板１３により部分的に閉鎖されている。加えて、各側壁２０〜２３の前端面により、前記移動位置にある枠体１４が石膏ボード１０ａの裏面に当接する当接部４３が形成されている。枠体１４の外周面には所定幅を有した状態で外方へ突出するリブ２４が枠体１４の全周に亘って形成され、そのリブ２４により枠体１４に所要の剛性を付与している。
【００３４】
図１，図３及び図５に示すように、連結部１５は枠体１４の上側壁２０後部と底板１３の上側の短辺との間及び下側壁２１後部と底板１３の下側の短辺との間にそれぞれ一対ずつ設けられている。各連結部１５はそれぞれ蛇腹状に折り畳まれた状態で底板１３と枠体１４とを連結しているとともに、枠体１４の移動に伴い伸縮可能に形成されている。そして、各連結部１５は、その折り畳まれた蛇腹部分により底板１３の後面と枠体１４の後端面とが面一となる状態、即ち、底板１３に対して枠体１４が固定位置にある状態に常に付勢する付勢手段として作用している。図１及び図４に示すように、枠体１４の上側壁２０及び下側壁２１の相対向する両側部には、それぞれ底板１３側に開口するケーブル保持部としての配線貫通孔２６が形成されている。
【００３５】
図１に示すように、枠体１４の上側壁２０及び下側壁２１の内周面中央には、それぞれ上側壁２０及び下側壁２１の幅方向へ延びる配線器具取付部２８が相対向して一体形成され、各配線器具取付部２８の前面には取付孔２８ａが形成されている。また、図５に示すように、前記取付孔２８ａは、枠体１４の前面開口に臨み各配線器具取付部２８内には内周に雌ねじが螺刻された雌ねじ部２８ｃが形成されている。
【００３６】
下側壁２１側の配線器具取付部２８の上端縁からは連結片３１が枠体１４の内方へ延設され、その連結片３１には前端面が開口する有底円筒状の磁石保持部３２が連結されている。この磁石保持部３２の後端部は底板１３の収容孔１６内に収容され、磁石保持部３２の後端部の外周面と収容孔１６の内周面とは離間している。また、磁石保持部３２の前端部には被探知部としての磁石３３が保持されている。なお、連結片３１を折り取ることにより枠体１４から磁石保持部３２及び磁石３３を除去することができるようになっている。
【００３７】
図３及び図５に示すように、枠体１４の上側壁２０及び下側壁２１の前端縁には、それぞれ四角錐状をなし、先端が前方へ突出する一対の突刺体３４が形成されている。そして、各突刺体３４は枠体１４の前方に配置される石膏ボード１０ａの裏面に食い込み可能に形成されている。
【００３８】
底板１３をコンクリート壁１０ｂに固定した状態で、図７（ａ）に２点鎖線で示すように、底板１３に対して固定位置にある枠体１４を、図７（ａ）に実線で示すように、底板１３から離れる方向へ引っ張って、枠体１４を固定位置から石膏ボード１０ａ側へ移動させることができる。
【００３９】
この移動状態において、前記連結部１５により底板１３と枠体１４とが連結された状態で離間し、底板１３の前面と枠体１４の後端縁との間に、コンクリート壁１０ｂと石膏ボード１０ａとの間に配設されたケーブル２５が通過可能な隙間２５ａが形成されるようになっている。
【００４０】
さらに、前記引張り状態を解除したとき、連結部１５の付勢力により石膏ボード１０ａ側へ移動した位置にある枠体１４が底板１３方向へ引き寄せられて、図７（ｂ）に２点鎖線に示す位置から図７（ｂ）に実線で示す固定位置に戻るとともに、枠体１４により前記隙間２５ａを閉鎖するようになっている。そして、図２に示すように、前記隙間２５ａから枠体１４内に収容されたケーブル２５が配線貫通孔２６内に配線可能になっているとともに、そのケーブル２５が枠体１４に保持されるようになっている。
【００４１】
また、図４に２点鎖線で示すように、上側壁２０及び下側壁２１の相対向する配線貫通孔２６にケーブル２５を配線したとき、そのケーブル２５は底板１３の長辺側の突出部分上に支持されるようになっている。
【００４２】
図２に示すように、配線器具取付具１１の前面に取り付けられる配線器具２９は、四角枠状をなす配線器具保持枠３０に保持されるようになっている。その配線器具保持枠３０は上下両端部にそれぞれ前記配線器具取付部２８の取付孔２８ａに対応する孔３０ａが形成されている。
【００４３】
そして、各孔３０ａから前記各取付孔２８ａに取付ビス３０ｂを挿通することができ、各取付ビス３０ｂの雌ねじ部２８ｃに対する螺進に伴い枠体１４をコンクリート壁１０ｂ側から石膏ボード１０ａ側へ引き寄せて、底板１３に対して枠体１４を移動位置に配置することができるようになっている。それと同時に、当接部４３が石膏ボード１０ａの裏面に当接し、その当接部４３と配線器具保持枠３０とにより石膏ボード１０ａを挟持することができるようになっている。そして、その石膏ボード１０ａの表側に配線器具保持枠３０を取り付けることができるとともに、配線器具取付部２８に配線器具２９を取付けることができるようになっている。
【００４４】
前記配線器具取付具１１の使用方法について以下に記載する。
さて、コンクリート壁１０ｂに配線器具取付具１１を取付けるには、まず、図６に示すように、底板１３の固定孔１７から固定ビス１８をコンクリート壁１０ｂに固定する。次いで、図７（ａ）に２点鎖線に示す固定位置にある枠体１４を把持して前方へ引き寄せ、その枠体１４を図７（ａ）に実線に示すように固定位置から石膏ボード１０ａ側へ移動させる。すると、底板１３の前面と枠体１４の後端縁との間に隙間２５ａが形成される。
【００４５】
そして、図７（ａ）に２点鎖線で示す位置から図７（ａ）に実線で示す位置までケーブル２５を枠体１４の側方から枠体１４方向へスライド移動させて、隙間２５ａから枠体１４内へ収容する。続いて、枠体１４の前方への引き寄せ状態を解除すると、各連結部１５が収縮するとともに、その付勢力により、枠体１４は図７（ｂ）に２点鎖線で示す位置から実線に示す固定位置へ復帰する。
【００４６】
その結果、前記隙間２５ａが枠体１４により閉鎖されるとともに、ケーブル２５が配線貫通孔２６内に配線されて枠体１４に保持される。続いて、図８に示すように、配線器具取付具１１の前面側に石膏ボード１０ａを配置し、配線器具取付具１１をその石膏ボード１０ａの裏側に配置して壁１０を構築する。
【００４７】
さて、壁１０に配線器具２９を設置する場合は、まず、石膏ボード１０ａの表側から磁石探知器を使用し、配線器具取付具１１の磁石３３を探知するとともに、石膏ボード１０ａの裏側の配線器具取付具１１を探知する。そして、配線器具取付具１１の位置を探知した後、配線器具取付具１１の前面開口が石膏ボード１０ａの表側に臨むように石膏ボード１０ａに貫通孔３６を形成する。なお、貫通孔３６の形成後、磁石保持部３２及び磁石３３を除去する。
【００４８】
その貫通孔３６から、枠体１４内に保持されたケーブル２５を石膏ボード１０ａの表側へ引き出し、そのケーブル２５に配線器具２９を接続した後、その配線器具２９を配線器具保持枠３０に保持させる。続いて、図２に示すように、その配線器具保持枠３０の各孔３０ａから対応する各取付孔２８ａに取付ビス３０ｂを挿通し、その取付ビス３０ｂの雄ねじを前記雌ねじ部２８ｃに螺合する。なお、枠体１４を手で石膏ボード１０ａ側へ若干引き寄せてもよい。
【００４９】
そして、図９に示すように、取付ビス３０ｂの螺進により、各連結部１５が伸張するとともに、枠体１４及び配線器具取付部２８がコンクリート壁１０ｂ側から石膏ボード１０ａ側へ移動する。枠体１４が移動した状態において、伸張した状態の連結部１５は可撓性を有するため、枠体１４の開口が貫通孔３６に対応するよう配線器具保持枠３０を移動させて枠体１４を石膏ボード１０ａの裏面に沿って微調整する。
【００５０】
そして、さらに、取付ビス３０ｂを雌ねじ部２８ｃに対して螺進させると、底板１３はコンクリート壁１０ｂに固定されたまま移動せずに枠体１４の上側壁２０及び下側壁２１の当接部４３が石膏ボード１０ａの裏面に当接する。すると、各突刺体３４が石膏ボード１０ａの裏面に食い込み、枠体１４が移動位置に設置される。最後に、取付ビス３０ｂを配線器具取付部２８に完全に螺合し、前記当接部４３と配線器具保持枠３０とにより石膏ボード１０ａを挟持して配線器具保持枠３０、即ち配線器具２９を石膏ボード１０ａに取付固定する。
【００５１】
このとき、各突刺体３４の石膏ボード１０ａの裏面に対する食い込みにより、取付ビス３０ｂの螺合に伴う枠体１４の共回りが防止される。その結果、石膏ボード１０ａの表側に配線器具保持枠３０が石膏ボード１０ａを介して配線器具取付具１１に取り付けられる。即ち、配線器具２９が移動位置にある枠体１４内に収容された状態で石膏ボード１０ａの表側から同石膏ボード１０ａに取り付けられる。
【００５２】
前記の実施形態によって発揮される効果について、以下に記載する。
（１）  底板１３をコンクリート壁１０ｂに固定した状態で枠体１４を固定位置から石膏ボード１０ａ側の移動位置へ移動させることができ、それに伴い配線器具取付部２８を石膏ボード１０ａ側の移動位置へ移動させることができる。そのため、底板１３により配線器具取付具１１をコンクリート壁１０ｂに固定した状態で配線器具２９を石膏ボード１０ａに固定することができる。従って、配線器具２９を壁１０に取り付けるために、石膏ボード１０ａ裏に配線器具取付具１１取付用の桟や当て木等を別途設置する必要がなく、配線器具２９の設置作業の簡易化を図ることができる。
【００５３】
（２）  コンクリート壁１０ｂと石膏ボード１０ａとの間の幅が種々の大きさに設定されていても、枠体１４を石膏ボード１０ａ側へ移動させることにより、配線器具取付部２８を石膏ボード１０ａの裏面に配置することができる。そのため、コンクリート壁１０ｂと石膏ボード１０ａとの間の幅に対応させるために、種々の厚さを有する配線器具取付具１１を複数種類用意する必要がなく、配線器具２９の設置作業の簡易化を図ることができる。
【００５４】
（３）  配線器具取付部２８の取付孔２８ａに対する取付ビス３０ｂの螺進に伴い連結部１５が伸張して枠体１４が移動位置へ移動する。そのため、取付ビス３０ｂの螺進により、底板１３が石膏ボード１０ａ側へ引き寄せられるのを防止して固定ビス１８がコンクリート壁１０ｂから抜け出てしまうといった不具合をなくすことができる。従って、配線器具取付具１１をコンクリート壁１０ｂに対して安定した状態で固定することができ、配線器具２９を壁１０に安定した状態で固定することができる。
【００５５】
（４）  枠体１４を手で石膏ボード１０ａ側へ引き寄せた場合、枠体１４が固定位置にある場合と比較して取付ビス３０ｂの先端と取付孔２８ａとの距離が短くなり取付ビス３０ｂの取付孔２８ａ内への挿入作業の簡易化を図ることができる。また、取付ビス３０ｂの雌ねじ部２８ｃに対する螺進量を少なくして配線器具保持枠３０の配線器具取付具１１に対する取付作業、即ち配線器具２９の取付作業の簡易化を図ることができる。
【００５６】
（５）  配線貫通孔２６にケーブル２５が保持されるため、ケーブル２５が枠体１４内から容易に抜け出るのを規制して枠体１４内にケーブル２５を保持することができる。その結果、貫通孔３６からケーブル２５を石膏ボード１０ａの表側に引き出す作業、そのケーブル２５に配線器具２９を接続する作業を容易に行うことができる。
【００５７】
（６）  連結部１５は蛇腹状に折り畳まれた状態で底板１３と枠体１４とを連結し、枠体１４の移動に伴い伸張又は収縮する。そのため、枠体１４が固定位置にあるとき、連結部１５を小型化して配線器具取付具１１を小型化することができる。また、連結部１５により底板１３と枠体１４とを一体形成することができ、配線器具取付具１１の製造を容易に行うことができる。加えて、底板１３と枠体１４とが分離せずに、配線器具取付具１１の運搬を容易に行うことができる。
【００５８】
（７）  配線器具２９は移動位置にある枠体１４内に収容されるため、枠体１４の各側壁２０〜２３により配線器具２９の外面を保護することができる。また、配線器具取付部２８は枠体１４の上下の相対向する位置に形成されているため、配線器具保持枠３０を配線器具取付具１１に安定した状態で取り付けて、配線器具２９を配線器具取付具１１に確実に取付固定することができる。
【００５９】
（８）  枠体１４の上側壁２０及び下側壁２１の当接部４３が石膏ボード１０ａの裏面に当接し、その当接部４３と配線器具保持枠３０とにより石膏ボード１０ａを挟持することができる。従って、配線器具保持枠３０を石膏ボード１０ａに安定した状態で取り付けて、配線器具２９を石膏ボード１０ａに確実に取付固定することができる。
【００６０】
（９）  枠体１４が移動位置にある状態において、取付ビス３０ｂの配線器具取付部２８に対する螺進に伴い各突刺体３４は石膏ボード１０ａの裏面に食い込む。そのため、配線器具２９に対して応力が作用したとき、その応力は配線器具取付部２８から各突刺体３４が食い込んでいる石膏ボード１０ａに作用してその石膏ボード１０ａに支持される。従って、応力が各配線器具取付部２８から上側壁２０及び下側壁２１に直接作用するのを防止して、その応力により上側壁２０及び下側壁２１が変形したり、損傷を受けたりするのを防止して、配線器具取付具１１に対して配線器具２９を安定して取付けることができる。
【００６１】
（１０）  枠体１４が移動位置にある状態において、取付ビス３０ｂの雌ねじ部２８ｃに対する螺進に伴い各突刺体３４は石膏ボード１０ａの裏面に食い込む。そのため、雌ねじ部２８ｃに対する取付ビス３０ｂの螺進に伴い、配線器具取付具１１が共回りするのを防止して、枠体１４と貫通孔３６の位置がずれたり、配線器具２９が傾いて設置されてしまうといったおそれをなくすことができる。
【００６２】
（１１）  連結部１５は可撓性を有するため、枠体１４が石膏ボード１０ａ側へ移動したとき、枠体１４の前面の開口が貫通孔３６に対応するように枠体１４の位置を石膏ボード１０ａの裏面に沿って微調整することができる。従って、底板１３をコンクリート壁１０ｂに固定したとき、枠体１４と貫通孔３６との位置がずれていても枠体１４の位置を修正することにより、配線器具２９を壁１０の設置予定位置に取り付けることができる。
【００６３】
（１２）  各取付ビス３０ｂの雌ねじ部２８ｃに対する螺進に伴い枠体１４を移動位置へ移動させることができる。そのため、枠体１４を移動位置へ完全に手で移動させる場合と異なり、枠体１４の移動位置への移動作業を容易に行うことができる。
【００６４】
（１３）  固定位置にある枠体１４を前方へ引っ張ることにより底板１３の前面と枠体１４の後端縁との間に隙間２５ａを形成することができ、その隙間２５ａから枠体１４内へケーブル２５を容易に挿入することができる。また、枠体１４を固定位置へ復帰させることにより前記隙間２５ａを閉鎖して、枠体１４内に配線されたケーブル２５が枠体１４外へ抜脱するおそれをなくすことができる。従って、石膏ボード１０ａ設置後に枠体１４外へ抜脱したケーブル２５を枠体１４内へ再度配線し直すといった作業を行う必要をなくすことができる。
【００６５】
（１４）  枠体１４は連結部１５の付勢力により石膏ボード１０ａ側へ移動した位置から固定位置へ自動的に復帰する。そのため、枠体１４を手で把持して固定位置へ移動させる場合と異なり、底板１３と枠体１４との間の隙間２５ａを閉鎖する作業の簡易化を図ることができる。
【００６６】
（１５）  連結部１５は蛇腹状に形成されているため、合成樹脂製の連結部１５に付勢力を付与することができる。従って、底板１３、枠体１４及び連結部１５を一体形成することができ、連結部１５をゴム材料等により形成する場合と異なり、配線器具取付具１１の製造を容易に行うことができる。
【００６７】
（１６）  磁石保持部３２には磁石３３が保持されているため、磁石探知器を使用して石膏ボード１０ａの裏側に配置された配線器具取付具１１の位置を容易、かつ即座に探知することができる。また、石膏ボード１０ａ裏側の配線器具取付具１１の位置を正確に探知することができ、貫通孔３６形成作業を正確に行うことができる。
【００６８】
（第２実施形態）
第２実施形態では、上記第１実施形態と同様の説明は省略し、第１実施形態と異なる点について主に説明する。
【００６９】
第２実施形態の配線器具取付具１１は、図１０に示すように、配線器具取付部２８を有する取付部形成体としての摺動体４４と、同摺動体４４を石膏ボード１０ａに固定可能とするために、摺動体４４を取付可能な収容部４５を備えた固定体としての底板１３とよりなるものである。そして、摺動体４４は底板１３に対して摺動可能に取り付けられることにより同底板１３に連結されている。底板１３は剛性の大きい材料、例えば金属材料により平面長方形状に形成され、その底板１３の両短辺の端縁の中央にはそれぞれ前記収容部４５が前方（図１０では右方）へ突設されている。図１１（ａ）に示すように、収容部４５の上端内周縁には内方へ突出する係合突条４５ｂが形成されている。
【００７０】
次いで、前記摺動体４４について説明すると、図１０に示すように、各摺動体４４はそれぞれ円柱状をなす配線器具取付部２８と、その配線器具取付部２８の前端（図１０では右端）に底板１３に対して平行に外方へ延びる板状の当接部４３とより形成されている。配線器具取付部２８の外面には、配線器具取付部２８の長さ方向に沿って延びる案内突条５１が形成され、図１１（ａ）に示すように、配線器具取付部２８の下端部の外周面には外方へ突出し、前記係合突条４５ｂに係合可能な係合片５２が形成されている。
【００７１】
各当接部４３の上面にはそれぞれ突刺体３４が一対ずつ形成されている。また、各摺動体４４の配線器具取付部２８にはそれぞれ取付孔２８ａが形成され、摺動体４４内には前記取付孔２８ａに連通し、内周に雌ねじが螺刻された雌ねじ部２８ｃが形成されている。そして、各摺動体４４はそれぞれ配線器具取付部２８が収容部４５内に収容され、図１０に２点鎖線で示すように、収容部４５内を前後方向（図１０では左右方向）へ摺動可能に組付けられている。なお、収容部４５は各摺動体４４と底板１３との連結部として形成されている。
【００７２】
第２実施形態の配線器具取付具１１の使用の際は、まず、図１１（ａ）に示すように、固定ビス１８により底板１３をコンクリート壁１０ｂに固定して、コンクリート壁１０ｂに配線器具取付具１１を固定するとともに、摺動体４４をコンクリート壁１０ｂ側に配置した位置、即ち固定位置に配置する。続いて、配線器具取付具１１の前面側に石膏ボード１０ａを配置し、配線器具取付具１１をその石膏ボード１０ａの裏側に配置して壁１０を構築する。
【００７３】
次に、石膏ボード１０ａに貫通孔３６を形成し、その貫通孔３６から配線器具取付具１１内に配線されたケーブル２５を石膏ボード１０ａの表側へ引き出す。そのケーブル２５に配線器具２９を接続してその配線器具２９を配線器具保持枠３０に保持させる。さらに、配線器具保持枠３０の各孔３０ａから対応する各取付孔２８ａに取付ビス３０ｂを挿通し、その取付ビス３０ｂの雄ねじを前記雌ねじ部２８ｃに螺合する。
【００７４】
そして、図１１（ｂ）に示すように、取付ビス３０ｂの螺進により、各摺動体４４、即ち配線器具取付部２８がコンクリート壁１０ｂ側から石膏ボード１０ａ側へ摺動する。このとき、各摺動体４４は案内突条５１に沿って収容部４５内を摺動するため、各摺動体４４が収容部４５内を回転することなく、摺動体４４は石膏ボード１０ａ側へ正確に移動し、摺動体４４が移動位置に設置される。なお、両摺動体４４を手で前方へ若干摺動させて石膏ボード１０ａ側へ引き寄せてもよい。また、各摺動体４４の係合片５２が収容部４５の係合突条４５ｂに係合して、摺動体４４が収容部４５から抜け出るのを防止することができる。
【００７５】
最後に、取付ビス３０ｂを配線器具取付部２８に完全に螺合し、前記当接部４３と配線器具保持枠３０とにより石膏ボード１０ａを挟持して配線器具保持枠３０、即ち配線器具２９を石膏ボード１０ａに取付固定する。
【００７６】
その結果、石膏ボード１０ａの表側に配線器具保持枠３０が石膏ボード１０ａを介して配線器具取付具１１に取り付けられる。即ち、配線器具２９が配線器具保持枠３０を介して配線器具取付具１１に取り付けられ、配線器具２９が枠体１４内に収容される。従って、第２実施形態の配線器具取付具１１によれば、枠体１４を省略して配線器具取付具１１の材料を節約することができる。
【００７７】
なお、本実施形態は、次のように変更して具体化することも可能である。
・  各実施形態の配線器具取付具１１を直貼り工法により形成される壁１０に取り付けてもよい。前記直貼り工法は、コンクリート壁１０ｂの前面に接着剤を複数箇所に塗布し、その接着剤によりコンクリート壁１０ｂの前面に石膏ボード１０ａを取付けて壁１０を形成する工法である。
【００７８】
上記直貼り工法においては、塗布される接着剤の厚みにより、コンクリート壁１０ｂと石膏ボード１０ａとの間の幅が異なる。また、コンクリート壁１０ｂと石膏ボード１０ａとの間には柱が設置されていない。そのため、各実施形態の配線器具取付具１１の底板１３をコンクリート壁１０ｂに固定して使用することにより、枠体１４又は摺動体４４をコンクリート壁１０ｂと石膏ボード１０ａとの間を移動させることができる。従って、コンクリート壁１０ｂと石膏ボード１０ａとの間の幅がその施工現場により異なっていても、枠体１４又は摺動体４４の移動量を調整することによりコンクリート壁１０ｂと石膏ボード１０ａとの間の幅に対応させて配線器具２９を取り付けることができる。
【００７９】
・  第１実施形態において、磁石３３の代わりにアルミニウム箔、銅、鉄等を磁石保持部３２に保持させ、石膏ボード１０ａの表側から金属探知器を使用して、被探知部を探知してもよい。また、枠体１４に一体形成された磁石保持部３２を省略するとともに、磁石３３を省略して被探知部を省略してもよい。
【００８０】
さらに、底板１３に磁石保持部３２を形成するとともに、その磁石保持部３２に被探知部として磁石３３、アルミニウム箔、銅、鉄等を磁石保持部３２に保持させて、石膏ボード１０ａの表側から金属探知器を使用して、被探知部を探知してもよい。なお、第２実施形態において、底板１３又は摺動体４４に磁石保持部３２を形成し、その磁石保持部３２に被探知部として磁石３３、アルミニウム箔、銅、鉄等を保持させてもよい。
【００８１】
・  第２実施形態において、図１２に示すように、各摺動体４４において、当接部４３、案内突条５１及び係合片５２を省略し、配線器具取付部２８の外周面にストッパー手段としての雄ねじ４４ａを螺刻する。図１２に破線で示すように、収容部４５の係合突条４５ｂを省略し、収容部４５の内周面に摺動体４４の雄ねじ４４ａが螺合可能な雌ねじ４５ａをストッパー手段として螺刻する。そして、摺動体４４の雄ねじ４４ａと収容部４５内の雌ねじ４５ａとの螺合により摺動体４４と底板１３との連結部を形成して各摺動体４４と底板１３とを連結する。雄ねじ４４ａの雌ねじ４５ａに対する螺進又は螺退により摺動体４４をコンクリート壁１０ｂ側から石膏ボード１０ａ側へ移動可能に形成してもよい。なお、各摺動体４４に当接部４３及び突刺体３４のうち少なくともいずれか一方を形成してもよい。
【００８２】
そして、この配線器具取付具１１の使用の際は、コンクリート壁１０ｂに配線器具取付具１１が固定され、各摺動体４４が固定位置にある状態において、それら摺動体４４を手で収容部４５から螺退させる。このとき、摺動体４４と収容部４５とは、雄ねじ４４ａと雌ねじ４５ａとの螺合関係により連結されているため、摺動体４４が後退して固定位置へ移動するのを防止することができる。従って、摺動体４４を手で保持し続ける必要がなく取付ビス３０ｂの取付孔２８ａへの螺合作業を容易に行うことができる。
【００８３】
また、図１３（ａ）、（ｂ）に示すように、各摺動体４４において、雄ねじ４４ａの代わりに配線器具取付部２８の外周面にその周方向に沿って延びる係止突条４６を複数段にストッパー手段として形成する。収容部４５の内周面に雌ねじ４５ａの代わりに前記係止突条４６に係止可能な係止片４７を内方へストッパー手段として突設し、前記係止突条４６と係止片４７との係止により連結部を形成して、各摺動体４４と底板１３とを連結する。そして、摺動体４４を石膏ボード１０ａ側へ移動させたとき、係止突条４６と係止片４７との係止により移動した摺動体４４が後退するのを防止してもよい。加えて、図１２及び図１３（ａ）、（ｂ）に示す配線器具取付具１１において、摺動体４４を収容部４５内から予め突出させた状態で配線器具取付具１１をコンクリート壁１０ｂに固定し、石膏ボード１０ａの設置の際に、各摺動体４４の当接部４３が石膏ボード１０ａの裏面の近くに位置するように各摺動体４４の位置を調整してもよい。
【００８４】
・  上記第２実施形態、図１２及び図１３のいずれかに示す配線器具取付具１１において、図１０に２点鎖線で示すように、四角枠状をなし底板１３の外周縁に沿うように両当接部４３間を連結する枠体１４を形成してもよい。さらに、その枠体１４に配線貫通孔２６を形成してもよい。
【００８５】
・  図１４に示すように、第１実施形態において、枠体１４の底板１３を省略し、枠体１４の左側壁２２及び右側壁２３の内面の相対向する位置から連結部１５を平面二条となるべく折り返した状態に形成するとともに、その連結部１５の先端部に固定体としての固定片４１を形成し、その固定片４１に固定孔１７を形成してもよい。また、上記構成の連結部１５及び固定片４１を枠体１４の左側壁２２及び右側壁２３の外面に形成してもよく、枠体１４の上側壁２０及び下側壁２１の内面又は外面に形成してもよい。
【００８６】
このように構成した場合も、固定孔１７から固定ビス１８をコンクリート壁１０ｂに固定して固定片４１をコンクリート壁１０ｂに固定することにより配線器具取付具１１をコンクリート壁１０ｂに固定することができる。また、連結部１５の伸張又は収縮により枠体１４の移動を許容することができる。加えて、底板１３の省略により配線器具取付具１１の材料の節約を図ることができる。なお、突刺体３４、磁石３３及び当接部４３のうち少なくともいずれか１つを省略してもよい。
【００８７】
・  図１５に示すように、第１実施形態において、枠体１４の底板１３を省略し、枠体１４の上側壁２０及び下側壁２１の外面から連結部１５を蛇腹状に折り畳んだ状態で形成するとともに、その連結部１５の先端部に固定体としての固定板４２を形成し、その固定板４２に固定孔１７を形成してもよい。また、上記構成の連結部１５及び固定板４２を枠体１４の左側壁２２及び右側壁２３の外面に形成してもよい。このように構成した場合、底板１３の省略により配線器具取付具１１の材料の節約を図ることができる。なお、突刺体３４、磁石３３及び当接部４３のうち少なくともいずれか１つを省略してもよい。
【００８８】
・  第１実施形態において、連結部１５をコイルスプリング、板ばね、ゴム材料等の弾性部材により形成して付勢手段としてもよい。また、連結部１５を蛇腹状に形成せずに円弧状に湾曲した状態で底板１３と枠体１４とを連結してもよい。そして、枠体１４を移動させた後、枠体１４を手動で元の状態に戻してもよい。
【００８９】
・  図１６及び図１７に示す配線器具取付具１１について説明すると、図１６（ａ）に実線及び（ｂ）に破線で示すように、底板１３の前面の外周縁より内側には底板１３と相似形をなす四角枠状の枠状部４８が立設されている。その枠状部４８において、枠状部４８の上下両短辺の相対向する位置にそれぞれ凹溝４９が下方へ円弧状に切り欠き形成されている。
【００９０】
枠体１４は底板１３の前面の外周縁部に沿う位置に配置され、その枠体１４の上側壁２０及び下側壁２１の外周面と、底板１３の上下両短辺とが蛇腹状に折り畳まれた状態の連結部１５により連結されている。図１７（ａ）に示すように、枠体１４の配線貫通孔２６は、その側方へ開口形成されている。底板１３をコンクリート壁１０ｂに固定して枠体１４がコンクリート壁１０ｂ側に配置された位置、即ち固定位置にあるとき、配線貫通孔２６と枠状部４８の凹溝４９との位置は対応して平面長孔状をなす挿通孔５０が形成されている。
【００９１】
さて、上記構成の配線器具取付具１１の使用の際は、まず、図１７（ａ）に示すように、コンクリート壁１０ｂに配線器具取付具１１を固定し、枠体１４を固定位置に配置する。次いで、図１７（ｂ）に示すように、固定位置にある枠体１４を石膏ボード１０ａ側へ移動させて、枠体１４の側方から配線貫通孔２６を開口させ、その開口から配線貫通孔２６内にケーブル２５を挿入する。最後に、図１７（ｃ）に示すように、枠体１４を連結部１５の付勢力により固定位置に戻すと、配線貫通孔２６の側方の開口が枠状部４８の側壁により閉塞されるとともに、挿通孔５０内にケーブル２５が配線される。
【００９２】
さらに、上記配線器具取付具１１において、配線器具保持枠３０の各孔３０ａから雌ねじ部２８ｃへの取付ビス３０ｂの螺進により、枠体１４を石膏ボード１０ａ側へ移動させて配線器具２９を配線器具取付具１１に取り付けてもよい。このように構成した場合、配線器具２９の側面を枠体１４により保護することができ、背面を底板１３及び枠状部４８により保護することができる。
【００９３】
なお、連結部１５をコイルスプリング、板ばね、ゴム材料等の弾性部材により形成してもよく、連結部１５を蛇腹状に形成せずに円弧状に湾曲した状態に形成してもよい。また、突刺体３４及び当接部４３のうち少なくともいずれか１つを省略してもよい。
【００９４】
・  第１実施形態において、固定位置にある枠体１４を移動位置にまで手で移動させてもよく、第２実施形態において、固定位置にある摺動体４４を移動位置にまで手で移動させてもよい。
【００９５】
・  図１８（ａ）、（ｂ）に示す配線器具取付具１１について説明すると、枠体１４の上側壁２０及び下側壁２１の内側には筒状をなす筒部３７が形成され、各筒部３７の前後両端面｛図１８（ａ）においては左右両端面｝は開口形成されている。各筒部３７の前端面にはそれぞれ当接部４３が形成され、各当接部４３にはそれぞれ突刺体３４が突設されている。
【００９６】
なお、各筒部３７の後端面側の開口には、その開口の内周縁が内方へ突出して係止部３８が形成されている。各筒部３７内にはそれぞれ筒状をなし、その一端外周縁に外方へ突出する鍔部３９が形成された筒体４０が嵌挿され、各筒体４０は筒部３７内を前後方向｛図１８（ａ）では左右方向）に摺動可能になっている。各筒部３７の側面には配線器具取付部２８が形成されている。そして、取付部形成体としての枠体１４と、固定体としての筒体４０とにより配線器具取付具１１が構成され、筒部３７は筒体４０と枠体１４との連結部として作用し、筒体４０と枠体１４とを連結している。
【００９７】
この配線器具取付具１１の使用の際は、まず、図１８（ａ）に示すように、各筒体４０内及び筒部３７の後端面側の開口に固定ビス１８を挿通し、その固定ビス１８をコンクリート壁１０ｂに固定する。この固定状態において、枠体１４はコンクリート壁１０ｂ側に配置された位置、即ち固定位置にある。
【００９８】
そして、配線器具保持枠３０の各孔３０ａから取付ビス３０ｂを雌ねじ部２８ｃに螺合する。なお、枠体１４を石膏ボード１０ａ側へ手で若干引き寄せてもよい。すると、取付ビス３０ｂの螺進により、図１８（ｂ）に示すように、枠体１４は筒体４０に沿って摺動して石膏ボード１０ａ側へ移動する。そして、各筒体４０の鍔部３９に筒部３７の係止部３８が係止するまで枠体１４を移動させる。すると、枠体１４が石膏ボード１０ａ側へ移動し、その石膏ボード１０ａの裏面に当接して移動位置に配置される。なお、石膏ボード１０ａ配置前に枠体１４を前方へ移動させておいてもよい。
【００９９】
このように構成した場合、底板１３を省略し、底板１３の材料を節約して配線器具取付具１１の製造コストの低減に寄与できる。なお、突刺体３４及び当接部４３のうち少なくともいずれか１つを省略してもよい。
【０１００】
・  図１９に示す配線器具取付具１１に具体化してもよい。この配線器具取付具１１は、底板１３が省略され、コンクリート壁１０ｂに固定される固定体として機能する相対向する一対の固定突片５３と、それら固定突片５３と連結された前記枠体１４とから形成されている。そして、相対向する固定突片５３の間からコンクリート壁１０ｂへの固定ビス１８の固定により枠体１４をコンクリート壁１０ｂ側、即ち固定位置に配置することができ、その固定位置にある枠体１４を固定位置から石膏ボード１０ａ側に位置する移動位置へ移動可能に形成されている。
【０１０１】
前記相対向する一対の固定突片５３は、枠体１４の左側壁及び右側壁２２，２３の内面の上下両側部からそれぞれ枠体１４の内方へ突設されている。一対の固定突片５３間には一定間隔が形成され、各固定突片５３の相対向する側縁の先端側は、それぞれ半円状に切り欠き形成されている。そして、相対向する一対の切り欠き部分間に形成された固定孔１７から固定ビス１８を挿通することができ、その固定ビス１８をコンクリート壁１０ｂに固定することにより固定突片５３をコンクリート壁１０ｂに固定して配線器具取付具１１をコンクリート壁１０ｂに固定することができる。
【０１０２】
さて、上記構成の配線器具取付具１１を使用するには、まず、４箇所に形成された一対の固定突片５３において、それぞれ固定ビス１８を固定孔１７からコンクリート壁１０ｂに固定して配線器具取付具１１を固定位置に配置する。次いで、上記各実施形態と同様に、石膏ボード１０ａを配置し、ケーブル２５に接続された配線器具２９を配線器具保持枠３０に保持させ、その配線器具保持枠３０を取付ビス３０ｂにより配線器具取付具１１に取り付ける。
【０１０３】
すると、図２０に示すように、取付ビス３０ｂの雌ねじ部２８ｃへの螺進により、枠体１４、即ち配線器具取付部２８がコンクリート壁１０ｂ側から石膏ボード１０ａ側へ移動していく。このとき、固定ビス１８により固定突片５３はコンクリート壁１０ｂに固定されているため、固定突片５３の基端側と枠体１４の内側面との間で固定突片５３は折れ、固定突片５３がコンクリート壁１０ｂに残ったまま枠体１４が石膏ボード１０ａ側へ移動する。なお、枠体１４が石膏ボード１０ａ側へ移動する際、固定突片５３が固定ビス１８を乗り越えて、固定突片５３が枠体１４に連結されたまま移動するように固定突片５３の切り欠き部分の大きさを調整してもよい。
【０１０４】
・  図２１に示す配線器具取付具１１に具体化してもよい。この配線器具取付具１１は底板１３が省略され、枠体１４の上側壁２０及び下側壁２１の外面から固定体としての固定板４２が形成されている。その固定板４２には固定孔１７が形成され、各固定板４２の基端側には同固定板４２の長さ方向に延びる折取溝４２ａが形成されている。そして、上下両固定板４２の固定孔１７からコンクリート壁１０ｂへの固定ビス１８の固定により枠体１４をコンクリート壁１０ｂ側、即ち固定位置に配置することができ、その固定位置にある枠体１４を固定位置から石膏ボード１０ａ側に位置する移動位置へ移動可能に形成されている。
【０１０５】
さて、上記構成の配線器具取付具１１を使用するには、まず、上下各固定板４２に形成された固定孔１７から固定ビス１８をコンクリート壁１０ｂに固定して配線器具取付具１１を固定位置に配置する。次いで、上記各実施形態と同様に、石膏ボード１０ａを配置し、ケーブル２５に接続された配線器具２９を配線器具保持枠３０に保持させ、その配線器具保持枠３０を取付ビス３０ｂにより配線器具取付具１１に取り付ける。
【０１０６】
すると、図２２に示すように、取付ビス３０ｂの雌ねじ部２８ｃへの螺進により、枠体１４、即ち配線器具取付部２８がコンクリート壁１０ｂ側から石膏ボード１０ａ側へ移動していく。このとき、固定ビス１８により固定板４２はコンクリート壁１０ｂに固定されているため、固定板４２は折取溝４２ａから折れ、固定板４２がコンクリート壁１０ｂに残ったまま枠体１４が石膏ボード１０ａ側へ移動する。
【０１０７】
・  各実施形態において、各突刺体３４の基端側を円柱状、三角柱状、四角柱状、五角柱状又は六角柱状等に形成し、その先端面に先端側に向かうに従い先細となるように円錐状、三角錐状、四角錐状、五角錐状又は六角錐状に形成してもよい。各実施形態において、各突刺体３４を円柱状、三角柱状、四角柱状、五角柱状又は六角柱状等に形成してもよい。
【０１０８】
・  第１実施形態において、上側壁２０及び下側壁２１に突刺体３４を１箇所又は３箇所以上形成してもよく、全ての側壁２０〜２３の開口側前端縁に突刺体３４を少なくとも１箇所形成してもよい。また、上側壁２０、下側壁２１、左側壁２２及び右側壁２３のうちの少なくとも１つに突刺体３４を少なくとも１箇所に形成してもよく、左側壁２２及び右側壁２３のみに突刺体３４を１箇所又は３箇所以上形成してもよい。
【０１０９】
・  第２実施形態において、当接部４３を省略してもよい。このとき、摺動体４４が収容部４５内奥部へ入り込むのを防止するために、摺動体４４の上端部を収容部４５の開口より大きく形成しておいてもよい。
【０１１０】
・  第１実施形態において、当接部４３と配線器具保持枠３０とにより石膏ボード１０ａを挟持しなくてもよく、第２実施形態において、当接部４３と配線器具保持枠３０とにより石膏ボード１０ａを挟持しなくてもよい。
【０１１１】
・  配線器具２９としてコンセント、スイッチ、電話のモジュールジャック等を使用してもよい。また、壁１０をコンクリート壁１０ｂと石膏ボード１０ａとに具体化したが、一方の壁材としての板材、石膏ボード１０ａと、他方の壁材としてコンクリート壁１０ｂ、板材等により壁１０を形成してもよい。
【０１１２】
・  第１実施形態において、配線貫通孔２６、突刺体３４及び当接部４３のうちの少なくともいずれか１つを省略してもよく、第２実施形態において、突刺体３４及び当接部４３のうちのいずれか１つを省略してもよい。
【０１１３】
さらに、前記実施形態より把握できる技術的思想について以下に記載する。
・  前記取付部形成体又は固定体は、他方の壁材の裏側に配置された取付部形成体又は固定体の位置を探知可能な被探知部を備えている請求項１〜請求項１７のいずれか一項に記載の配線器具取付具。
【０１１４】
【発明の効果】
以上詳述したように、この発明によれば、次のような効果を奏する。
請求項１及び１０に記載の発明の配線器具取付具及び配線器具の取付方法によれば、建築物の一方の壁材に対する配線器具の設置作業の簡易化を図ることができるとともに、配線器具を安定した状態で一方の壁材に固定することができる。加えて、当接部と配線器具保持枠とにより一方の壁材を挟持することができ、配線器具保持枠を一方の壁材に安定した状態で取り付けて配線器具を一方の壁材に取付固定することができる。加えて、取付部形成体を一方の壁材側へ完全に手で移動させる場合と異なり、取付部形成体の移動作業を容易に行うことができる。
【０１１５】
請求項２に記載の発明の配線器具取付具によれば、請求項１に記載の発明の効果に加えて、連結部の伸張により取付部形成体の移動を許容することができる。
【０１１６】
請求項３に記載の発明の配線器具取付具によれば、請求項２に記載の発明の効果に加えて、連結部に付勢力を付与することができる。
【０１１７】
請求項４に記載の発明の配線器具取付具によれば、請求項１〜請求項３のいずれか一項に記載の発明の効果に加えて、連結部により取付部形成体と固定体とを一体形成することができ、配線器具取付具の製造を容易に行うことができる。
請求項５に記載の発明の配線器具取付具によれば、請求項２〜請求項４のいずれか一項に記載の発明の効果に加え、一方の壁材における配線器具の取付位置に取付部形成体を対応させることができる。
【０１１８】
請求項６に記載の発明の配線器具取付具によれば、請求項２〜請求項５のいずれか一項に記載の発明の効果に加えて、取付部形成体内のケーブルが抜脱するのを規制することができる。
【０１１９】
請求項７に記載の発明の配線器具取付具によれば、請求項１に記載の発明の効果に加えて、取付部形成体の移動を正確に行うことができる。
【０１２０】
請求項８に記載の発明の配線器具取付具によれば、請求項１〜請求項７のいずれか一項に記載の発明の効果に加えて、配線器具取付部に対する取付ビスの螺進に伴い、取付部形成体が共回りするのを防止して、配線器具が傾いて設置されてしまうといったおそれをなくすことができる。
【０１２１】
請求項９に記載の発明の配線器具取付具によれば、請求項７又は請求項８に記載の発明の効果に加えて、固定体は折取溝から折れ、固定体が他方の壁材に残ったまま取付部形成体が一方の壁材側へ移動するので、建築物の一方の壁材に対する配線器具の設置作業の簡易化を図ることができるとともに、配線器具を安定した状態で一方の壁材に固定することができる。加えて、当接部と配線器具保持枠とにより一方の壁材を挟持することができ、配線器具保持枠を一方の壁材に安定した状態で取り付けて配線器具を一方の壁材に取付固定することができる。加えて、取付部形成体を一方の壁材側へ完全に手で移動させる場合と異なり、取付部形成体の移動作業を容易に行うことができる。
【図面の簡単な説明】
【図１】  第１実施形態の配線器具取付具を示す斜視図。
【図２】  第１実施形態の配線器具取付具の取付状態を示す分解斜視図。
【図３】  第１実施形態の配線器具取付具を示す正面図。
【図４】  第１実施形態の配線器具取付具を示す平面図。
【図５】  第１実施形態の配線器具取付具を示す図３の５−５線断面図。
【図６】  配線器具取付具をコンクリート壁に取付けた状態を示す正面図。
【図７】  （ａ）は枠体を前方へ引張った状態を示す斜視図、（ｂ）は枠体を引張り状態から元の状態へ戻した状態を示す側面図。
【図８】  配線器具取付具の前方に石膏ボードを設置した状態の正面図。
【図９】  配線器具取付具に配線器具を取り付けた状態を示す側断面図。
【図１０】  第２実施形態の配線器具取付具を示す斜視図。
【図１１】  （ａ）は第２実施形態の配線器具取付具をコンクリート壁に取付けた状態を示す側断面図、（ｂ）は第２実施形態の配線器具取付具に配線器具を取り付けた状態を示す側断面図。
【図１２】  第２実施形態の配線器具取付具の別例を示す斜視図。
【図１３】  （ａ）は第２実施形態の配線器具取付具の別例を示す斜視図、（ｂ）は収容部及び摺動体を示す部分断面図。
【図１４】  別例の配線器具取付具を示す正面図
【図１５】  別例の配線器具取付具を示す正面図。
【図１６】  （ａ）は別例の配線器具取付具を示す正面図、（ｂ）は別例の配線器具取付具を示す側面図。
【図１７】  （ａ）は別例の配線器具取付具を示す平面図、（ｂ）は別例の配線器具取付具の使用状態を示す平面図、（ｃ）は別例の配線器具取付具を示す平面図。
【図１８】  （ａ）は別例の配線器具取付具の使用状態を示す側断面図、（ｂ）は別例の配線器具取付具の使用状態を示す側断面図。
【図１９】  別例の配線器具取付具を示す斜視図。
【図２０】  別例の配線器具取付具の使用状態を示す部分側断面図。
【図２１】  別例の配線器具取付具を示す斜視図。
【図２２】  別例の配線器具取付具の使用状態を示す部分側断面図。
【符号の説明】
１０…壁、１０ａ…一方の壁材としての石膏ボード、１０ｂ…他方の壁材としてのコンクリート壁、１１…配線器具取付具、１３…固定体としての底板、１４…取付部形成体としての枠体、１５…連結部（付勢手段）、２５…ケーブル、２５ａ…隙間、２６…ケーブル保持部としての配線貫通孔、２８…配線器具取付部、２９…配線器具、３０…配線器具保持枠、３０ｂ…取付ビス、３４…突刺体、３７…連結部としての筒部、４０…固定体としての筒体、４２…固定体としての固定板、４３…当接部、４４…取付部形成体としての摺動体、４４ａ…連結部及びストッパー手段としての雄ねじ、４５ａ…連結部及びストッパー手段としての雌ねじ、４６…連結部及びストッパー手段としての係止突条、４７…連結部及びストッパー手段としての係止片、５３…固定体としての固定突片。
【図１】
0004541594.tif 000002
【図２】
0004541594.tif 000003
【図３】
0004541594.tif 000004
【図４】
0004541594.tif 000005
【図５】
0004541594.tif 000006
【図６】
0004541594.tif 000007
【図７】
0004541594.tif 000008
【図８】
0004541594.tif 000009
【図９】
0004541594.tif 000010
【図１０】
0004541594.tif 000011
【図１１】
0004541594.tif 000012
【図１２】
0004541594.tif 000013
【図１３】
0004541594.tif 000014
【図１４】
0004541594.tif 000015
【図１５】
0004541594.tif 000016
【図１６】
0004541594.tif 000017
【図１７】
0004541594.tif 000018
【図１８】
0004541594.tif 000019
【図１９】
0004541594.tif 000020
【図２０】
0004541594.tif 000021
【図２１】
0004541594.tif 000022
【図２２】
0004541594.tif 000023